(57)【要約】【課題】ディスプレイを備えた筐体の薄型化を実現することができるディスプレイの保持構造を備えた携帯端末を提供する。【解決手段】所定のスペースを形成する筐体１１、１７、１９と、表示面と表示面の逆面である背面とからなり、スペースに収容されるディスプレイ４と、ディスプレイ４背面側のスペースに収容される電子部品１６と、電子部品１６の外形にほぼ相当する形状が切り欠かれ、かつ電子部品１６の厚さにほぼ相当する厚さを有する切欠き部材を有するディスプレイ保持部材１５を備えた。【選択図】  図４
2011205539.tif 000002
【特許請求の範囲】
【請求項１】
所定のスペースを形成する筐体と、
表示面と前記表示面の逆面である背面とからなり、前記スペースに収容されるディスプレイと、
前記ディスプレイ背面側の前記スペースに収容される電子部品と、
前記電子部品の外形にほぼ相当する形状が切り欠かれ、かつ前記電子部品の厚さにほぼ相当する厚さを有する切欠き部材を有するディスプレイ保持部材を備えたことを特徴とする携帯端末。
【請求項２】
前記ディスプレイ保持部材は、前記ディスプレイを前記背面側から緩衝性を持って保持するクッション部材をさらに備えた請求項１記載の携帯端末。
【請求項３】
前記電子部品は、フレキシブルプリント基板である請求項１または２記載の携帯端末。
【請求項４】
前記フレキシブルプリント基板は、厚さが異なる部位を有し、
前記ディスプレイ保持部材は、前記フレキシブルプリント基板の厚さが異なる部位毎の外形にほぼ相当する形状が切り欠かれた複数の前記切欠き部材を有する請求項３記載の携帯端末。
【請求項５】
前記ディスプレイ保持部材と前記ディスプレイの背面との接着面に繊維状部材が挟み込まれた剥離用部材をさらに備えた請求項１〜４のいずれか一項記載の携帯端末。
【請求項６】
前記ディスプレイ保持部材は、前記剥離用部材を兼ねた請求項５記載の携帯端末。
【請求項７】
前記ディスプレイ保持部材は、前記ディスプレイの外形とほぼ同一の外形を有する請求項１〜６のいずれか一項記載の携帯端末。
【発明の詳細な説明】
【技術分野】
【０００１】
本発明は、携帯端末に係り、特に薄型化に好適なディスプレイの保持構造を備えた携帯端末に関する。
【背景技術】
【０００２】
携帯端末は、それぞれ筐体の内部に必要な電子部品や、必要に応じてこの電子部品を保持する保持部材を収容している。例えば、テキストや画像を表示するディスプレイは、表示面を筐体正面側に向けて配置され、表示面の逆面を筐体内部で保持部材によって保持されることで筐体内に収容されている（例えば、特許文献１参照。）。
【先行技術文献】
【特許文献】
【０００３】
【特許文献１】特開２００４−２９７６９０号公報
【発明の概要】
【発明が解決しようとする課題】
【０００４】
今日、携帯端末の小型化・薄型化・軽量化は必須となっている。このため、筐体内に収容される電子部品などは小型・薄型であることが好ましく、また部品点数は可能な限り少ないほうが好ましい。
【０００５】
上述したディスプレイの保持部材は、ディスプレイを衝撃などの外的要因から保護するために用いられるものであり、ある程度の強度・剛性が求められる。また、筐体内部にはディスプレイと主基板とを接続するためのフレキシブルプリント基板などの電子部品が配置されているため、外的要因を受けてこれらの電子部品との接触により局所的な応力が発生する場合がある。このため、ディスプレイの保持部材は外的要因により局所的な応力を受けない均一面に保持される必要がある。
【０００６】
また、携帯端末の小型化・薄型化・軽量化が求められる反面、視認性を高めるためにディスプレイの大型化も求められる。ディスプレイが大型化された結果、このディスプレイを保持する保持部材についても大型化してしまうのが現状である。
【０００７】
本発明はこのような事情を考慮してなされたもので、ディスプレイを備えた筐体の薄型化を実現することができるディスプレイの保持構造を備えた携帯端末を提供することを目的とする。
【課題を解決するための手段】
【０００８】
本発明に係る携帯端末は、上述した課題を解決するために、所定のスペースを形成する筐体と、表示面と前記表示面の逆面である背面とからなり、前記スペースに収容されるディスプレイと、前記ディスプレイ背面側の前記スペースに収容される電子部品と、前記電子部品の外形にほぼ相当する形状が切り欠かれ、かつ前記電子部品の厚さにほぼ相当する厚さを有する切欠き部材を有するディスプレイ保持部材を備えたことを特徴とするものである。
【発明の効果】
【０００９】
本発明に係る携帯端末は、ディスプレイを備えた筐体の薄型化を実現することができる。
【図面の簡単な説明】
【００１０】
【図１】スライド式の携帯端末を閉じた状態（閉状態）としたときの外観構成を示す斜視図。
【図２】スライド式の携帯端末を開いた状態（開状態）としたときの正面側から見た外観構成を示す斜視図。
【図３】スライド式の携帯端末を開いた状態（開状態）としたときの背面側から見た外観構成を示す斜視図。
【図４】本実施形態における携帯端末の上筐体の分解斜視図。
【図５】図４に示すディスプレイクッションを特に示す外観斜視図。
【図６】図４のディスプレイクッションの分解斜視図。
【図７】図５に示すディスプレイクッションのVII−VII間の断面図。
【図８】図５に示すディスプレイクッションのVIII−VIII間の断面図。
【図９】図５に示すディスプレイクッションのIX−IX間の断面図。
【図１０】ディスプレイクッションの第四の部材の変形例を示す分解斜視図。
【発明を実施するための形態】
【００１１】
本発明に係る携帯端末の実施形態を添付図面に基づいて説明する。
【００１２】
図１〜図３は、本発明に係る携帯端末の一例であるスライド式の携帯端末１の外観構成を示す斜視図である。
【００１３】
図１は、スライド式の携帯端末１を閉じた状態（閉状態）としたときの外観構成を示す斜視図である。  
図２は、スライド式の携帯端末１を開いた状態（開状態）としたときの正面側から見た外観構成を示す斜視図である。  
図３は、スライド式の携帯端末１を開いた状態（開状態）としたときの背面側から見た外観構成を示す斜視図である。
【００１４】
携帯端末１は、第一の筐体としての下筐体２と、下筐体２に対して積層された第二の筐体としての上筐体３とを有する。
【００１５】
上筐体３には、その正面側表面の大部分を占めるディスプレイ４が設けられる。なお、上筐体３におけるディスプレイ４が設けられた面を携帯端末１の正面といい、これとは逆の面を携帯端末１の背面という。ディスプレイ４は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ  Ｄｉｓｐｌａｙ）ディスプレイ、無機ＥＬディスプレイにより構成されるディスプレイである。
【００１６】
下筐体２には、携帯端末１が開状態であるときに露出して使用可能となる操作キー５が配置される。
【００１７】
上筐体３と下筐体２とはスライド機構６により矢印Ｘ１、Ｘ２方向（図１および図２参照）にスライドされるようになっている。具体的には、携帯端末１は図１の閉状態である場合に矢印Ｘ１方向に上筐体３がスライドされると、図２の開状態に遷移する。また、携帯端末１は、図２の開状態である場合に矢印Ｘ２方向に上筐体がスライドされると、図１の閉状態に移行する。
【００１８】
図４は、本実施形態における携帯端末１の上筐体３の分解斜視図である。
【００１９】
上筐体３は、主にパネル１１、ケース１７、板金１９により外観が形成される。このパネル１１、ケース１７、板金１９によって、ディスプレイ４などを収容するスペースが形成される。このスペースには、主にディスプレイ４、ディスプレイクッション１５、フレキシブルプリント基板１６が収容される。
【００２０】
パネル１１は、上筐体３に収容されたディスプレイ４の表示面側と対向する透明な部材である。パネル１１の外周縁部は、パネル両面テープ１３によりケース１７の受け部１７ａに接着される。
【００２１】
ケース１７は、上筐体３の外側面を形成する部材である。ケース１７の外周縁部は、熱圧着テープ１８により板金１９の受け部１９ａに接着される。また、板金１９は、携帯端末１が開状態である時に上筐体３の背面側に露出する（図３参照）。
【００２２】
ディスプレイ４は、ディスプレイ保持部材としてのディスプレイクッション１５と接着して背面（表示面と逆面）側から保持され、板金１９を座面として上筐体３内部に収容される。また、ディスプレイ４は、衝撃緩衝材としてのディスプレイスポンジ１２を介してパネル１１と接する。
【００２３】
フレキシブルプリント基板１６は、上筐体３に収容されたディスプレイ４と、下筐体２に収容された主基板（図示せず）などの電子部品とを接続して電気信号を伝達する。フレキシブルプリント基板１６は、板金１９とディスプレイ４との間（ディスプレイ４背面側のスペース）に配置され、その厚みはディスプレイクッション１５により吸収されるようになっている。フレキシブルプリント基板１６には、種々の目的（電気的接続、電波シールドなど）で導電性の銅箔テープ２０が貼り付けられたテープ貼付部位１６ｂ、１６ｃ、１６ｅが設けられる。また、フレキシブルプリント基板１６には、二枚の複数のフレキシブルプリント基板１６が積層されている積層部位１６ａ、１６ｄが設けられる。
【００２４】
フレキシブルプリント基板１６は、テープ貼付部位１６ｂ、１６ｃ、１６ｅおよび積層部位１６ａ、１６ｄが形成されることで、フレキシブルプリント基板１６自体の厚みよりも大きい厚みを有する部位が形成される。なお、フレキシブルプリント基板１６の積層部位１６ａ、１６ｄの厚みは、テープ貼付部位１６ｂ、１６ｃ、１６ｅの厚みよりも大きいものとする。
【００２５】
ディスプレイクッション１５は、一定のクッション性（弾性、衝撃緩衝性）を有しディスプレイを保持する機能を有する。ディスプレイクッション１５は、フレキシブルプリント基板１６の厚みに相当する厚みを有するように、複数の部材が積層されて一体化された部材である。
【００２６】
図５は、図４に示すディスプレイクッション１５を特に示す外観斜視図である。
【００２７】
図６は、図４のディスプレイクッション１５の分解斜視図である。
【００２８】
ディスプレイクッション１５は、第一〜第四の部材１５ａ〜１５ｄから構成される。第一の部材１５ａ、第二の部材１５ｂ、第四の部材１５ｄは、フレキシブルプリント基板１６の外形に相当する形状が切り欠かれ、かつフレキシブルプリント基板１６の厚さが異なる部位毎の外形に相当する形状が切り欠かれた複数の切り欠き部材である。また、第三の部材１５ｃは、ディスプレイ４を背面側から緩衝性を持って保持するクッション部材である。なお、第一〜第四の部材１５ａ〜１５ｄは、それぞれディスプレイ４の外形とほぼ同一の外形を有するのが好ましい。ディスプレイ４に加えられる応力を均一化させることができるためである。
【００２９】
第一の部材１５ａは、上筐体３の収納時においてディスプレイ４と重なり合うフレキシブルプリント基板１６の外形に相当する形状が切り欠かれた、両面に粘着性を有する接着部材である。この切り欠き部の形状は、フレキシブルプリント基板１６の外形のみならず、銅箔テープ２０の外形も考慮した形状である。本実施形態においては、第一の部材１５ａは、フレキシブルプリント基板１６自体の厚みを吸収する。
【００３０】
第二の部材１５ｂは、フレキシブルプリント基板１６に貼り付けられた銅箔テープ２０の外形に相当する形状が切り欠かれた、両面に粘着性を有する接着部材である。本実施形態においては、第二の部材１５ｂは、フレキシブルプリント基板１６に銅箔テープ２０が貼り付けられたテープ貼付部位１６ｂ、１６ｃ、１６ｅの厚みを吸収する。
【００３１】
第三の部材１５ｃは、切り欠き部が形成されない部材であり、主に衝撃緩衝性を強化させることを意図したクッション部材である。
【００３２】
第四の部材１５ｄは、二枚のフレキシブルプリント基板１６の重なり部分の外形に相当する形状が切り欠かれた、両面に粘着性を有する接着部材である。第四の部材１５ｄは、フレキシブルプリント基板１６のうち最も大きい厚みを有する部分の外形に相当する形状の切欠き部が形成される。本実施形態においては、第四の部材１５ｄは、フレキシブルプリント基板１６が積層された積層部位１６ａ、１６ｄの厚みを吸収する。
【００３３】
順次積層された第一〜第四の部材１５ａ〜１５ｄは、第一の部材１５ａと、第二の部材１５ｂと、第四の部材１５ｄとの粘着面によって互いに接着されることにより一体に構成されて、ディスプレイクッション１５を構成する。また、図６の最下層に配置される第一の部材１５ａの一方の粘着面は、板金１９と接着する。さらに、図６の最上層に配置される第四の部材１５ｄの一方の粘着面は、ディスプレイ４の背面側と接着する。
【００３４】
なお、第一の部材１５ａ、第二の部材１５ｂおよび第四の部材１５ｄは、基材、粘着材共に一般的な携帯端末で部品間を接着させる際に用いられる材料を用いることができる。また、第一の部材１５ａ、第二の部材１５ｂおよび第四の部材１５ｄは、それぞれ両面に粘着性を有する接着部材としたが、第一〜第四の部材１５ａ〜１５ｄを一体に構成し、かつ板金１９とディスプレイクッション１５とディスプレイ４とで安定した接着状態を維持できれば、上述した構成に限られない。
【００３５】
図７は、図５に示すディスプレイクッション１５のVII−VII間の断面図である。  
図８は、図５に示すディスプレイクッション１５のVIII−VIII間の断面図である。  
図９は、図５に示すディスプレイクッション１５のIX−IX間の断面図である。
【００３６】
なお、図５の各切断面とフレキシブルプリント基板１６との位置関係の理解を容易にするため、図６の第一の部材１５ａにもそれぞれ対応する切断面を示した。
【００３７】
図７においては、主にディスプレイクッション１５がフレキシブルプリント基板１６の積層部位１６ａおよびテープ貼付部位１６ｂ（共に図４参照）の厚みを吸収する構造が示されている。
【００３８】
ディスプレイクッション１５は、第一の部材１５ａの切欠き部においてフレキシブルプリント基板１６自体の厚みを吸収する。また、ディスプレイクッション１５は、第二の部材１５ｂの切欠き部において、銅箔テープ２０が貼り付けられたテープ貼付部位１６ｂの厚みを吸収する。さらに、ディスプレイクッション１５は、第三の部材１５ｃによりフレキシブルプリント基板１６に対する緩衝性を持つ面を形成する。また、第四の部材１５ｄの切欠き部において、ディスプレイクッション１５を介して生じる第二のフレキシブルプリント基板２１の厚みを吸収する。
【００３９】
また、図８においては、主にディスプレイクッション１５がフレキシブルプリント基板１６の積層部位１６ｄ（図４参照）の厚みを吸収する構造が示されている。
【００４０】
さらに、図９においては、主にディスプレイクッション１５がフレキシブルプリント基板１６のテープ貼付部位１６ｃ（図４参照）の厚みを吸収する構造が示されている。
【００４１】
この携帯端末１によれば、フレキシブルプリント基板１６の厚みをディスプレイクッション１５を形成する複数の部材によって吸収するため、均一化されたディスプレイ４の保持面（接触面）形成することができる。このため、携帯端末１が落下などで衝撃を受けた際に局所的な応力の発生を抑制することができる。
【００４２】
また、携帯端末１は、簡易な構成のディスプレイクッション１５によりディスプレイ４に加えられる応力を分散させることができるため、ステンレスやマグネシウム合金などの金属からなるディスプレイホルダを設ける必要がない。このため、携帯端末１の上筐体３の薄型化、軽量化を実現することができる。
【００４３】
なお、本実施形態においては、フレキシブルプリント基板１６の厚みを好適に吸収してディスプレイ４の保持面を均一化する例を説明したが、上筐体３に収容される他の電子部品の影響を考慮してディスプレイクッション１５の積層枚数および切り欠き部の形状を決定することもできる。
【００４４】
ここで、ディスプレイクッション１５とディスプレイ４とは、第四の部材１５ｄの粘着面で接着される。このようにディスプレイクッション１５とディスプレイ４とを直接接着させてしまうと、再度剥離させようとした場合に容易ではない。例えば、ディスプレイ４とディスプレイクッション１５との組立にずれが生じた場合や、組立後にディスプレイ４やディスプレイクッション１５に不良が発見された場合などにおいては、剥離して新たに組立直す必要がある。しかし、部品間の剥離が困難な場合にはディスプレイ４、ディスプレイクッション１５ともに再利用ができなくなりコストの面からも好ましくない。
【００４５】
そこで、第四の部材１５ｄにディスプレイ４とディスプレイクッション１５とを容易に剥離させる機能を持たせてもよい。
【００４６】
図１０は、ディスプレイクッション１５の第四の部材１５ｄの変形例を示す分解斜視図である。
【００４７】
第四の部材５０は、一対の接着部材５１と、この接着部材５１の間に挟みこまれた不織布５２とで構成される。第四の部材５０は、この一対の接着部材５１がそれぞれ両面に粘着性を有するため、第三の部材１５ｃとディスプレイ４とに対して接着可能となっている。また、ディスプレイ４とディスプレイクッション１５を分離する場合には、不織布５２が接着部材５１と容易に剥離するようになっている。このため、ディスプレイ４とディスプレイクッション１５との組立にずれが生じた場合には、ディスプレイ４からディスプレイクッション１５を剥離し、再度ディスプレイ４を他のディスプレイクッション１５と組み立てることができ、製造面においても有効である。
【００４８】
なお、第四の部材５０は不織布５２が挟み込まれた例を説明したが、不織布５２以外の接着部材５１と容易に剥離可能な例えば繊維状の部材（繊維状部材）を適用してもよい。また、ディスプレイクッション１５の第四の部材５０がフレキシブルプリント基板１６の厚みを吸収する機能と、ディスプレイ４から剥離を容易にする機能とを兼ねた例を説明したが、ディスプレイクッション１５とディスプレイ４の背面との接着面に不織布などの繊維状部材が挟み込まれた剥離用部材を設けるようにしてもよい。
【００４９】
本実施形態においては、携帯端末をスライド式の携帯端末１に適用した例を説明した。しかし、スライド式に限らず折り畳み式の携帯端末やストレート式の携帯端末などの種々の形態からなる携帯端末にも適用することができる。
【符号の説明】
【００５０】
１  携帯端末
２  下筐体
３  上筐体
４  ディスプレイ
５  操作キー
１１  パネル
１２  ディスプレイスポンジ
１３  パネル両面テープ
１５  ディスプレイクッション
１６  フレキシブルプリント基板
１６ａ、１６ｄ  積層部位
１６ｂ、１６ｃ、１６ｅ  テープ貼付部位
１７  ケース
１８  熱圧着テープ
１９  板金
２０  銅箔テープ
２１  第二のフレキシブルプリント基板
【図１】
2011205539.tif 000003
【図２】
2011205539.tif 000004
【図３】
2011205539.tif 000005
【図４】
2011205539.tif 000006
【図５】
2011205539.tif 000007
【図６】
2011205539.tif 000008
【図７】
2011205539.tif 000009
【図８】
2011205539.tif 000010
【図９】
2011205539.tif 000011
【図１０】
2011205539.tif 000012